【手続補正書】
【提出日】平成16年5月31日(2004.5.31)
【手続補正１】
【補正対象書類名】特許請求の範囲
【補正対象項目名】全文
【補正方法】変更
【補正の内容】
【特許請求の範囲】
【請求項１】
コネクタ・アセンブリであって、コネクタ・プラグを受けるための第１のコネクタ・ハウジングと、パネル側において前記ハウジングを受けるためのアダプタと、前記コネクタ・ハウジング内に挿入し、かつサブスクライバ側においてプラグに接続するためのコネクタ・プラグとを備え、
前記第１のコネクタ・ハウジングが、上部壁、底部壁、第１の側壁、および第２の側壁を有し、前方から後方へ延在するアパーチャを有する実質的に矩形の部材を備え、
前記上部壁の内表面が、前記アパーチャを通って延在するチャネルの第１のアレイを形成する、前記ハウジングの前方から後方へ延在する複数のチャネルを有し、
前記上部壁が、前記上部壁内に第１の複数のラッチング・アパーチャを有し、前記ラッチング・アパーチャの各々が、前記上部壁を通して前記チャネルの１つと連絡し、前記チャネルの各々は、コネクタ・プラグのラッチング・アームを受けるように構成されるコネクタ・アセンブリ。
【請求項２】
前記コネクタ・プラグの各々は、所定の幅を有し、前記コネクタ・ハウジングにおける前記アパーチャの幅は、前記チャネルの数とコネクタ・プラグの幅との積に実質的に等しい請求項１に記載のコネクタ・アセンブリ。
【請求項３】
前記コネクタ・プラグの各々は、前記チャネルの１つの中にはめ込まれるように構成された弾性のラッチング・アームを有し、前記ラッチング・アームが、ラッチング・アパーチャの端部に係合するように構成されたラッチング面を有する遠位端部を有する請求項１に記載のコネクタ・アセンブリ。
【請求項４】
シェルフ部材が、前記アパーチャを上方開口と実質的に同一の下方開口とに分割して前記アパーチャを横切って延在し、
前記下方開口は、前記上方開口の実質的な鏡像であり、前記下方開口における前記底部壁の内側表面が、前記下方開口を通って延在する第２の複数のチャネルを有することにより、前記ハウジングの前方から後方へ延在するチャネルの第２のアレイを形成する請求項１に記載のコネクタ・アセンブリ。
【請求項５】
前記下方壁が、前記下方壁の中に第２の複数のラッチング・アパーチャを有し、前記ラッチング・アパーチャの各々は、前記底部壁を通して前記第２の複数のチャネルの１つと連絡する請求項４に記載のコネクタ・アセンブリ。
【請求項６】
前記下方開口の幅は、前記第２の複数のチャネルの数とコネクタ・プラグの幅との積に実質的に等しい請求項４に記載のコネクタ・アセンブリ。
【請求項７】
前記アダプタは、前方のキャビネット側と後方のサブスクライバ側とを有し、前方から後方へ延在する矩形のアパーチャを有する実質的に矩形の部材を備え、前記ハウジング部材が、上部壁、底部壁、第１の側壁、および第２の側壁を有し、
前記矩形のアパーチャが、前記アダプタの前記キャビネット側において前記コネクタ・ハウジングを受けるような寸法に形成される請求項１に記載のコネクタ・アセンブリ。
【請求項８】
前記ハウジング部材が、前記第１の側壁から前記第２の側壁へ前記矩形のアパーチャを横切って延在する、窪みが形成された垂直方向の壁を有する請求項７に記載のコネクタ・アセンブリ。
【請求項９】
前記垂直方向の壁が、フェルール受けスリーブを形成する、前記垂直方向の壁から延在する第１の複数の突出物のアレイを有し、前記スリーブの各々が、前記コネクタ・ハウジング内の前記チャネルの１つに挿入されたとき、コネクタ・プラグのフェルールと整列される請求項８に記載のコネクタ・アセンブリ。
【請求項１０】
前記垂直方向の壁が、スリーブ受けフェルールを形成する、前記垂直方向の壁から延在する第２の複数の突出物のアレイを有し、前記第２のアレイが、前記第１のアレイから垂直方向に離間し、
前記第１のアレイの各スリーブが、前記上方開口における前記チャネルの１つに挿入されたとき、コネクタ・プラグのフェルールと整列され、
前記第２のアレイの各スリーブが、前記下方開口における前記チャネルの１つに挿入されたとき、コネクタ・プラグのフェルールと整列される請求項９に記載のコネクタ・アセンブリ。
【請求項１１】
前記第１および第２の側壁の各々の上に弾性ラッチング部材をさらに含む請求項７に記載のコネクタ・アセンブリ。
【請求項１２】
前記上部壁の上方表面上に第１および第２の停止リッジをさらに含む請求項７に記載のコネクタ・アセンブリ。
【請求項１３】
前記アダプタの前記サブスクライバ側から延在するコネクタ・ハウジング部材をさらに含み、
前記コネクタ・ハウジング部材が、前記アダプタ・ハウジングの前記キャビネット側に挿入可能な前記コネクタ・ハウジング部材と実質的に同一の構成を有し、少なくとも１つのチャネルのアレイと、上部において前記チャネルと連絡するラッチング・アパーチャのアレイとを含む請求項９に記載のコネクタ・アセンブリ。
【請求項１４】
前記アダプタ・ハウジングを受けるための開口を有し、前記弾性ラッチング部材によってそこにラッチされるように構成されたマウンティング・ブラケットをさらに含み、前記ブラケットが、前記ブラケットをバックプレーン・パネルに付着するための手段を前記ブラケットの上に有する請求項１１に記載のコネクタ・アセンブリ。
【請求項１５】
前記アダプタ・ハウジングを受けるための開口を有し、前記停止リッジによってそこに関して所定位置に固定されるように構成されたマウンティング・ブラケットをさらに含む請求項１２に記載のコネクタ・アセンブリ。
【請求項１６】
光ファイバのための高密度コネクタ・アセンブリで使用するためのコネクタ・プラグであって、
コネクタ端部およびファイバ入口端部を有する本体部材と、
前記ファイバ入口端部から延在するブート部材と、
前記コネクタ端部から延在するフェルールを含むファイバとを備え、
弾性の片持ちラッチング・アームの近位端部が、所定の角度で前記ハウジング部材に付着され、前記ラッチング・アームが遠位端部を有し、
前記遠位端部が、真っ直ぐで側方に延在するラッチング表面を有するコネクタ・プラグ。
【請求項１７】
光ファイバのための高密度コネクタ・アセンブリで使用するためのコネクタ・ハウジングであって、
上部壁、底部壁、第１の側壁、および第２の側壁を有し、前方から後方へ延在するアパーチャを有する実質的に矩形の部材と、
前記アパーチャの上部を横切って延在するアレイ・チャネルを形成する複数の部材と、
前記ハウジングの上部壁内の複数のラッチング・アパーチャとを備え、前記アパーチャの各々が、前記上部壁を通して前記チャネルの１つと連絡するコネクタ・ハウジング。
【請求項１８】
前記チャネルの各々が、コネクタ・プラグのラッチング・アームを受けるように構成され、各コネクタ・プラグが所定の幅を有し、
前記ハウジングにおける前記アパーチャの幅が、前記チャネルの数とコネクタ・プラグの幅との積に実質的に等しい請求項１７に記載のコネクタ・ハウジング。
【請求項１９】
高密度コネクタ・アセンブリにおいて使用するためのアダプタであって、コネクタ・プラグ・ホルダ・ハウジングを受け、キャビネット側およびサブスクライバ側を有し、
コネクタ・プラグ・ホルダ・ハウジングを受けるためにアパーチャを有する矩形のハウジング部材と、
前記アパーチャ内のリセス形成された横断壁と、
前記コネクタ・プラグ・ホルダ・ハウジング内に含まれるコネクタ・プラグのフェルールを受けるスリーブであって前記壁を通って延在するスリーブを受ける、フェルールのアレイとを備えるアダプタ。
【請求項２０】
前記アダプタ・ハウジングの前記サブスクライバ側から延在するコネクタ・プラグ・ホルダ・ハウジングをさらに備え、
前記コネクタ・プラグ・ホルダ・ハウジング内のコネクタ・プラグのフェルールを受け、かつ前記コネクタ・プラグ・ホルダ・ハウジング内の前記コネクタ・プラグのフェルールを前記横断壁内の前記スリーブと整列するためのチャネルのアレイを、前記コネクタ・プラグ・ホルダ・ハウジングが有する請求項１９に記載のアダプタ。
【手続補正２】
【補正対象書類名】明細書
【補正対象項目名】０００８
【補正方法】変更
【補正の内容】
【０００８】
これらの原理の一実施形態において、挿入可能なカードの前縁上へのマウンティングのための、一般に矩形の形状であり好ましくは適切なプラスチック材料で作られたコネクタ・ハウジングは、拡大された矩形のフレーム開口を架橋し、それによって好ましくは互いに鏡像である上方開口および下方開口を形成する、側方に延びるシェルフ部材を有する。上方開口の上部内側表面は、開口の幅を横切って延びるアレイに構成された複数のチャネルを有し、各チャネルは、ＬＣコネクタのラッチ・アームを収容するように構成される。本明細書における実施形態において、前方から後方へハウジングを通って延びるリブに応じることによって形成された、そのような８つのチャネルがある。同様に、上方開口の上部内側表面の鏡像である、下方開口の底部内側表面は、そこに形成された８つのチャネルを有する。ハウジングの上部壁は、各アパーチャ（開口）がチャネルに開口する、個別のラッチング・アパーチャのアレイを有し、ハウジングの底部壁は、そのようなアレイを有する。したがって、ハウジングの底部壁は、底部壁内の各チャネルと連絡する個別のラッチング・アパーチャを有する。
【手続補正３】
【補正対象書類名】明細書
【補正対象項目名】００１８
【補正方法】変更
【補正の内容】
【００１８】
アダプタ・ハウジング
ＰＣＢ４０からのリードが、破線によって示されるように、バックプレーン５５で個別のリードに接続されることができるために、アダプタ・ハウジング５６は、ＰＣＢ４０が、バックプレーン・アセンブリのその指定されたスロットに挿入されたときに、コネクタ・ハウジング４１およびコネクタ３２のフェルール３６を受けるためのバックプレーン・パネル５５上にマウンティングされる。ハウジング５６は、コネクタ・ハウジング４１を受けるための寸法にされた従来の指定されたキャビネット側にアパーチャ５７を有する。リセス（窪み）が形成された壁５８は、アパーチャ５７を横切って延び、かつそこから円筒形ボスまたは突出部６２の２つの列またはアレイ５９および６１が延び、円筒形ボスまたは突出部６２の２つの列またはアレイ５９および６１は、コネクタ３２のフェルール３６を受けるためのスリーブを形成する長手方向のボア６３を有する。同様に、壁５８の他方の側は、壁５８の第１の側上の突出部６２に位置合わせされたボア形成された突出部６２の２つのアレイを有する。実際には、後続の図に示されるように、ボア形成された突出部６２は、壁５８を通して延びる。アダプタ・ハウジング５６の２つの端部壁６４および６６は、以降に記載されるように、アダプタ・ハウジング５６をマウンティング・ブラケット６９にラッチングするために、その上に形成された第１および第２の弾性ラッチ６７および６８を有する。第１および第２の停止リッジ７１および７２は、アダプタ・ハウジング５６の上部表面７３から突出し、アダプタ・ハウジング５６の上部表面７３は、以降で明らかになるように、所定の場所にマウンティング・ブラケット６９を配置しかつ保持する機能をする。